(57)【特許請求の範囲】
【請求項１】
下記一般式（１）で表される色素を含有することを特徴とするインクジェット記録液。
【化１】
0003557759.tif 000015
〔式中、Ｒ１およびＲ２は、各々水素原子、アルキル基、アルケニル基、アルキニル基またはアラルキル基を表わし、Ｒ３は水素原子、アルキル基、アルケニル基、アルキニル基、アラルキル基、芳香族基または複素環基を表わし（但し、Ｒ３はＲ１および窒素原子とともに環を形成してもよい）、Ｒ４はアルキル基、アルケニル基、アルキニル基、アラルキル基、芳香族基または複素環基を表わす。Ｒ５はスルホ基、カルボキシル基、スルファモイル基、カルバモイル基またはアルコキシカルボニル基を表わし、Ｒ６およびＲ７は、各々ハロゲン原子、アルキル基、アルコキシ基、アルケニルオキシ基、アルキニルオキシ基、アラルキルオキシ基、芳香族オキシ基、複素環オキシ基、アシルアミノ基、スルホニルアミノ基、ウレイド基、ウレタン基、アルコキシカルボニル基、カルバモイル基、スルファモイル基、スルホニル基、アシル基、アミノ基、シアノ基、ヒドロキシ基、スルホ基またはカルボキシル基を表わし、ｐ、ｑは０〜４の整数を表わし、Ｘｎは対陰イオンを表わす。但し、分子中に対陰イオンの存在するときはＸｎは不要であるものとする。〕
【請求項２】
前記一般式（１）で表される色素が下記一般式（２）で表わされる色素であることを特徴とする請求項１に記載のインクジェット記録液。
【化２】
0003557759.tif 000016
〔式中、Ｒ６、Ｒ７、ｐおよびｑは、一般式（１）におけるＲ６、Ｒ７、ｐおよびｑと各々同義の基または同義の整数を表わす。Ｒ８およびＲ９は、各々水素原子またはアルキル基を表わし、Ｒ１０およびＲ１１は、各々アルキル基を表わし、Ｒ１２はスルホ基またはカルボキシル基を表わす。Ｒ１３はハロゲン原子、アルキル基、アルコキシ基、アルケニルオキシ基、アルキニルオキシ基、アラルキルオキシ基、芳香族オキシ基、複素環オキシ基、アシルアミノ基、スルホニルアミノ基、ウレイド基、ウレタン基、アルコキシカルボニル基、カルバモイル基、スルファモイル基、スルホニル基、アシル基、アミノ基、シアノ基、ヒドロキシ基、スルホ基またはカルボキシル基を表わし、ｍは０〜４の整数を表わす。〕
【請求項３】
前記一般式（１）で表される色素が下記一般式（３）で表わされる色素であることを特徴とする請求項１に記載のインクジェット記録液。
【化３】
0003557759.tif 000017
〔式中、Ｒ６、Ｒ７、ｐおよびｑは、一般式（１）におけるＲ６、Ｒ７、ｐおよびｑと各々同義の基または同義の整数を表わす。Ｒ１４およびＲ１５は、各々アルキル基を表わし、Ｒ１４とＲ１５は窒素原子とともに環を形成してもよい。Ｒ１６は水素原子またはアルキル基を表わし、Ｒ１７はアルキル基を表わし、Ｒ１８はスルホ基またはカルボキシル基を表わす。〕
【請求項４】
前記一般式（１）で表される色素が下記一般式（４）で表わされる色素であることを特徴とする請求項１に記載のインクジェット記録液。
【化４】
0003557759.tif 000018
〔式中、Ｒ６、Ｒ７、ｐおよびｑは、一般式（１）におけるＲ６、Ｒ７、ｐおよびｑと各々同義の基または同義の整数を表わす。Ｒ１９およびＲ２０は、各々水素原子またはアルキル基を表わし、Ｒ２１およびＲ２２は、各々アルキル基を表わし、Ｒ２３はスルホ基またはカルボキシル基を表わす。Ｒ２４はハロゲン原子、アルキル基、アルコキシ基、アルケニルオキシ基、アルキニルオキシ基、アラルキルオキシ基、芳香族オキシ基、複素環オキシ基、アシルアミノ基、スルホニルアミノ基、ウレイド基、ウレタン基、アルコキシカルボニル基、カルバモイル基、スルファモイル基、スルホニル基、アシル基、アミノ基、シアノ基、ヒドロキシ基、スルホ基またはカルボキシル基を表わし、ｎは０〜４の整数を表わす。〕
【発明の詳細な説明】
【０００１】
【発明の属する技術分野】
本発明は特定の色素を含有するインクジェット記録液に関するものである。
【０００２】
【従来の技術】
インクジェット用のインクにおいては、その使用される記録方式に適合すること、高い記録画像濃度を有し色調が良好であること、耐光性や耐熱性および耐水性といった色画像堅牢性に優れること、被記録媒体に対して定着が速く記録後ににじまないこと、インクとしての保存性に優れていること、毒性や引火性といった安全性に問題がないこと、安価であること等が要求され、このような観点から、種々のインクジェット用の記録液が提案、検討されているが、要求の多くを同時に満足するような記録液はきわめて限られている。
【０００３】
イエロー、マゼンタ、シアン、ブラックを用いたカラー画像記録においては、たとえばＣ．Ｉ．インデックスに記載されている従来から公知のＣ．Ｉ．ナンバーを有する染料、顔料が広く検討されてきた。特にマゼンタのインクにおいてはキサンテン系（例えばＣ．Ｉ．アシッドレッド５２等）、アゾ系（例えばＣ．Ｉ．リアクティブレッド１８０等）の水溶性染料を使用したものが知られているが、一般に前者は耐光性のような堅牢性に問題を有し、後者はマゼンタ色調の鮮明性に欠けるといった色再現性に関する分光吸収特性の問題を有していた。
【０００４】
この問題点を解決すべく、色調と耐光性の優れたマゼンタ染料を用いた記録液の開発が盛んに行われているが、いまだに満足できる記録液が達成されていないのが現状である。
【０００５】
【発明が解決しようとする課題】
本発明の目的は、色画像の耐光性に優れ、良好な色再現性のための色調に優れたインクジェット記録液、特に主な対象としてはマゼンタ色のインクジェット記録液を提供することにある。
【０００６】
【課題を解決するための手段】
本発明者は鋭意研究を重ねた結果、上記目的を以下の構成により達成することができた。
【０００７】
１．下記一般式（１）で表される色素を含有することを特徴とするインクジェット記録液。
【０００８】
【化５】
0003557759.tif 000002
【０００９】
式中、Ｒ１およびＲ２は、各々水素原子、アルキル基、アルケニル基、アルキニル基またはアラルキル基を表わし、Ｒ３は水素原子、アルキル基、アルケニル基、アルキニル基、アラルキル基、芳香族基または複素環基を表わし（但し、Ｒ３はＲ１および窒素原子とともに環を形成してもよい）、Ｒ４はアルキル基、アルケニル基、アルキニル基、アラルキル基、芳香族基または複素環基を表わす。Ｒ５はスルホ基、カルボキシル基、スルファモイル基、カルバモイル基またはアルコキシカルボニル基を表わし、Ｒ６およびＲ７は、各々ハロゲン原子、アルキル基、アルコキシ基、アルケニルオキシ基、アルキニルオキシ基、アラルキルオキシ基、芳香族オキシ基、複素環オキシ基、アシルアミノ基、スルホニルアミノ基、ウレイド基、ウレタン基、アルコキシカルボニル基、カルバモイル基、スルファモイル基、スルホニル基、アシル基、アミノ基、シアノ基、ヒドロキシ基、スルホ基またはカルボキシル基を表わし、ｐ、ｑは０〜４の整数を表わし、Ｘｎは対陰イオンを表わす。但し、分子中に対陰イオンの存在するときはＸｎは不要であるものとする。
【００１０】
２．前記一般式（１）で表される色素が下記一般式（２）で表わされる色素であることを特徴とする前記１に記載のインクジェット記録液。
【００１１】
【化６】
0003557759.tif 000003
【００１２】
式中、Ｒ６、Ｒ７、ｐおよびｑは、一般式（１）におけるＲ６、Ｒ７、ｐおよびｑと各々同義の基または同義の整数を表わす。Ｒ８およびＲ９は、各々水素原子またはアルキル基を表わし、Ｒ１０およびＲ１１は、各々アルキル基を表わし、Ｒ１２はスルホ基またはカルボキシル基を表わす。Ｒ１３はハロゲン原子、アルキル基、アルコキシ基、アルケニルオキシ基、アルキニルオキシ基、アラルキルオキシ基、芳香族オキシ基、複素環オキシ基、アシルアミノ基、スルホニルアミノ基、ウレイド基、ウレタン基、アルコキシカルボニル基、カルバモイル基、スルファモイル基、スルホニル基、アシル基、アミノ基、シアノ基、ヒドロキシ基、スルホ基またはカルボキシル基を表わし、ｍは０〜４の整数を表わす。
【００１３】
３．前記一般式（１）で表される色素が下記一般式（３）で表わされる色素であることを特徴とする前記１に記載のインクジェット記録液。
【００１４】
【化７】
0003557759.tif 000004
【００１５】
式中、Ｒ６、Ｒ７、ｐおよびｑは、一般式（１）におけるＲ６、Ｒ７、ｐおよびｑと各々同義の基または同義の整数を表わす。Ｒ１４およびＲ１５は、各々アルキル基を表わし、Ｒ１４とＲ１５は窒素原子とともに環を形成してもよい。Ｒ１６は水素原子またはアルキル基を表わし、Ｒ１７はアルキル基を表わし、Ｒ１８はスルホ基またはカルボキシル基を表わす。
【００１６】
４．前記一般式（１）で表される色素が下記一般式（４）で表わされる色素であることを特徴とする前記１に記載のインクジェット記録液。
【００１７】
【化８】
0003557759.tif 000005
【００１８】
式中、Ｒ６、Ｒ７、ｐおよびｑは、一般式（１）におけるＲ６、Ｒ７、ｐおよびｑと各々同義の基または同義の整数を表わす。Ｒ１９およびＲ２０は、各々水素原子またはアルキル基を表わし、Ｒ２１およびＲ２２は、各々アルキル基を表わし、Ｒ２３はスルホ基またはカルボキシル基を表わす。Ｒ２４はハロゲン原子、アルキル基、アルコキシ基、アルケニルオキシ基、アルキニルオキシ基、アラルキルオキシ基、芳香族オキシ基、複素環オキシ基、アシルアミノ基、スルホニルアミノ基、ウレイド基、ウレタン基、アルコキシカルボニル基、カルバモイル基、スルファモイル基、スルホニル基、アシル基、アミノ基、シアノ基、ヒドロキシ基、スルホ基またはカルボキシル基を表わし、ｎは０〜４の整数を表わす。
【００１９】
以下、本発明を詳細に説明する。
【００２０】
先ず一般式（１）の色素について詳細に説明する。
【００２１】
前記一般式（１）においてＲ１およびＲ２は、各々水素原子、アルキル基（例えば、メチル基、エチル基、プロピル基、イソプロピル基、ブチル基、イソブチル基、ペンチル基、ネオペンチル基、シクロペンチル基、ヘキシル基、シクロヘキシル基、ヘプチル基、オクチル基、２−エチルヘキシル基、、ノニル基、デシル基、２−ブチルヘキシル基、ドデシル基、テトラデシル基、ヘキサデシル基、オクタデシル基等の直鎖、分岐、環状のアルキル基等）、アルケニル基（例えば、アリル基、２−ブテニル基等）、アルキニル基（例えば、プロパルギル基等）またはアラルキル基（例えば、ベンジル基等）を表わす。
【００２２】
これらの基はさらに適当な置換基で置換されていてもよく、適当な置換基としては例えば脂肪族基（例えば炭素数１〜２０のアルキル基等）、芳香族基（例えば、フェニル基、ナフチル基等）、ヘテロ環基（例えば、少なくとも１つの窒素原子、酸素原子、硫黄原子から選ばれた原子を有する５または６員のヘテロ環基等）、アルコキシ基（例えば、炭素数１〜２０のアルコキシ基等）、アリールオキシ基（例えば、フェノキシ基、ナフチルオキシ基等）、アシルアミノ基（例えば、炭素数１〜２０のアルカノイルアミノ基、ベンゾイルアミノ基等）、アシルオキシ基（例えば、炭素数１〜２０のアルカノイルオキシ基、ベンゾイルオキシ基等）、アシル基（例えば、炭素数１〜２０のアルカノイル基、ベンゾイル基等）、カルバモイル基（例えば、無置換カルバモイル基、炭素数１〜２０のアルキルカルバモイル基、炭素数２〜４０のジアルキルカルバモイル基、フェニルカルバモイル基、炭素数７〜２６のＮ−アルキル，Ｎ−フェニルカルバモイル基等）、アルコキシカルボニル基（例えば、炭素数１〜２０のアルコキシカルボニル等）、スルホニルアミノ基（例えば、炭素数１〜２０のアルカンスルホニルアミノ基、ベンゼンスルホニルアミノ基等）、スルファモイル基（例えば、無置換スルファモイル基、炭素数２〜４０のジアルキルスルフファモイル基、炭素数１〜２０のアルキルスルファモイル基、フェニルスルファモイル基、炭素数７〜２６のＮ−アルキル，Ｎ−フェニルスルファモイル基等）、ヒドロキシル基、スルホニル基（例えば、炭素数１〜２０のアルカンスルホニル基、ベンゼンスルホニル基等）、アルキルチオ基（例えば、炭素数１〜２０のアルキルチオ基等）、アリールチオ基（例えば、フェニルチオ基等）、ウレイド基（例えば、無置換ウレイド基、炭素数１〜２０のアルキルウレイド基、炭素数２〜４０のジアルキルウレイド基、フェニルウレイド基等）、ウレタン基（例えば、炭素数１〜２０のアルコキシカルボニルアミノ基等）、シアノ基、スルホ基、カルボキシル基、ニトロ基またはアミノ基（例えば、無置換アミノ基、炭素数１〜２０のアルキルアミノ基、炭素数２〜４０のジアルキルアミノ基、アニリノ基、炭素数７〜２６のＮ−アルキルアニリノ基等）が挙げられる。
【００２３】
Ｒ１およびＲ２としては水素原子、アルキル基またはアラルキル基のものが好ましく、水素原子またはアルキル基のものがより好ましい。
【００２４】
Ｒ３は水素原子、アルキル基（例えば、メチル基、エチル基、プロピル基、イソプロピル基、ブチル基、イソブチル基、ペンチル基、ネオペンチル基、シクロペンチル基、ヘキシル基、シクロヘキシル基、ヘプチル基、オクチル基、２−エチルヘキシル基、、ノニル基、デシル基、２−ブチルヘキシル基、ドデシル基、テトラデシル基、ヘキサデシル基、オクタデシル基等の直鎖、分岐、環状のアルキル基等）、アルケニル基（例えば、アリル基、２−ブテニル基等）、アルキニル基（例えば、プロパルギル基等）、アラルキル基（例えば、ベンジル基等）、芳香族基（例えば、フェニル基、ナフチル基等）または複素環基（例えば、ピリジル基、チエニル基、フリル基、ピロリル基、イミダゾリル基、ピラゾリル基、オキサゾリル基、チアゾリル基、ピラジニル基、ピリミジニル基、トリアジニル基、ピペリジニル基、ピロリジニル基、ジオキサジニル等の窒素、酸素、硫黄から選ばれた原子を少なくとも１つ含有する５または６員の複素環等基及びこれらとベンゼン環との縮合環基等）を表わす。
【００２５】
また、Ｒ３はＲ１および窒素原子とともに環（例えば、モルホリン環、ピペラジン環、ピペリジン環、ピロリジン環等）を形成してもよい。
【００２６】
これらの基はさらに適当な置換基で置換されていてもよく、適当な置換基としては例えばＲ１およびＲ２の適当な置換基として上記した基等が挙げられる。
【００２７】
Ｒ３としてはアルキル基、アラルキル基、芳香族基または複素環基のものが好ましく、アルキル基または芳香族基のものがより好ましい。
【００２８】
Ｒ４はアルキル基（例えば、メチル基、エチル基、プロピル基、イソプロピル基、ブチル基、イソブチル基、ペンチル基、ネオペンチル基、シクロペンチル基、ヘキシル基、シクロヘキシル基、ヘプチル基、オクチル基、２−エチルヘキシル基、、ノニル基、デシル基、２−ブチルヘキシル基、ドデシル基、テトラデシル基、ヘキサデシル基、オクタデシル基等の直鎖、分岐、環状のアルキル基等）、アルケニル基（例えば、アリル基、２−ブテニル基等）、アルキニル基（例えば、プロパルギル基等）、アラルキル基（例えば、ベンジル基等）、芳香族基（例えば、フェニル基、ナフチル基等）または複素環基（例えば、ピリジル基、チエニル基、フリル基、ピロリル基、イミダゾリル基、ピラゾリル基、オキサゾリル基、チアゾリル基、ピラジニル基、ピリミジニル基、トリアジニル基、ピペリジニル基、ピロリジニル基、ジオキサジニル等の窒素、酸素、硫黄から選ばれた原子を少なくとも１つ含有する５または６員の複素環等基及びこれらとベンゼン環との縮合環基等）を表わす。
【００２９】
これらの基はさらに適当な置換基で置換されていてもよく、適当な置換基としては例えばＲ１およびＲ２の適当な置換基として上記した基等が挙げられる。
【００３０】
Ｒ４としてはアルキル基、アルケニル基、アラルキル基または芳香族基のものが好ましく、アルキル基のものが特に好ましい。
【００３１】
Ｒ５はスルホ基、カルボキシル基、スルファモイル基（例えば、無置換スルファモイル基、炭素数１〜２０アルキルスルファモイル基、炭素数２〜４０のジアルキルスルファモル基、フェニルスルファモイル基、炭素数７〜２６のＮ−アルキル，Ｎ−フェニルスルファモイル基等）、カルバモイル基（例えば、無置換カルバモイル基、炭素数１〜２０のアルキルカルバモイル基、炭素数２〜４０のジアルキルカルバモイル基、フェニルカルバモイル基、炭素数７〜２６Ｎ−アルキル，Ｎ−フェニルカルバモイル基等）またはアルコキシカルボニル基（例えば、炭素数１〜２０のアルコキシカルボニル基等）を表わす。
【００３２】
これらの基はさらに適当な置換基で置換されていてもよく、適当な置換基としては例えばＲ１およびＲ２の適当な置換基として上記した基等が挙げられる。
【００３３】
Ｒ５としてはスルホ基またはカルボキシル基が好ましい。
【００３４】
Ｒ６およびＲ７は各々、ハロゲン原子（例えば、フッ素原子、塩素原子、臭素原子等）、アルキル基（例えば、炭素数１〜２０のアルキル基等）、アルコキシ基（例えば、炭素数１〜２０のアルコキシ基等）、アルケニルオキシ基（例えば、アリルオキシ基、２−ブテニルオキシ基等）、アルキニルオキシ基（例えば、プロパルギルオキシ基等）、アラルキルオキシ基（例えば、ベンジルオキシ基等）、芳香族オキシ基（例えば、フェノキシ基、ナフチルオキシ基等）、複素環オキシ基（例えば、窒素、酸素、硫黄から選ばれた原子を少なくとも１つ含有する５または６員の複素環オキシ基及びこれらとベンゼン環との縮合環オキシ基等）、アシルアミノ基（例えば、炭素数１〜２０のアルカノイルアミノ基、ベンゾイルアミノ基等）、スルホニルアミノ基（例えば、炭素数１〜２０のアルカンスルホニルアミノ基、ベンゼンスルホニルアミノ基等）、ウレイド基（例えば、無置換ウレイド基、炭素数１〜２０のアルキルウレイド基、炭素数２〜４０のジアルキルウレイド基、フェニルウレイド基等）、ウレタン基（例えば、炭素数１〜２０のアルコキシカルボニルアミノ基等）、アルコキシカルボニル基（例えば、炭素数１〜２０のアルコキシカルボニル基等）、カルバモイル基（例えば、無置換カルバモイル基、炭素数１〜２０のアルキルカルバモイル基、炭素数２〜４０のジアルキルカルバモイル基、フェニルカルバモイル基、炭素数７〜２６のＮ−アルキル，Ｎ−フェニルカルバモイル基等）、スルファモイル基（例えば、無置換スルファモイル基、炭素数１〜２０のアルキルスルファモイル基、炭素数２〜４０のジアルキルカルバモイル基、フェニルスルファモイル基、炭素数７〜２６のＮ−アルキル基，Ｎ−フェニルスルファモイル基等）、スルホニル基（例えば、炭素数１〜２０のアルカンスルホニル基、ベンゼンスルホニル基等）、アシル基（例えば、炭素数１〜２０のアルカノイル基、ベンゾイル基等）、アミノ基（例えば、無置換アミノ基、炭素数１〜２０のアルキルアミノ基、炭素数２〜４０のジアルキルアミノ基、アニリノ基、炭素数７〜２６のＮ−アルキルアニリノ基等）、シアノ基、ヒドロキシ基、スルホ基またはカルボキシル基を表わす。
【００３５】
これらの基はさらに適当な置換基で置換されていてもよく、適当な置換基としては例えばＲ１およびＲ２の適当な置換基として上記した基等が挙げられる。
【００３６】
ｐは０〜４の整数を表わすが、０、１、２のものが好ましい。
【００３７】
ｑは０〜４の整数を表わすが、０、１、２のものが好ましい。
【００３８】
Ｘｎは対陰イオンを表わすが、対陰イオンとしてはハライドイオン（例えば、クロライドイオン、ブロマイドイオン等）、硫酸イオン、有機スルホネートイオン（例えば、炭素数１〜２０のアルキルスルホネートイオン、ベンゼンスルホネートイオン等）、脂肪酸イオン（炭素数１〜２０の脂肪族カルボキシレートイオン等）、安息香酸イオン、しゅう酸イオン、過塩素酸イオン、テトラフルオロボレートイオンまたはヘキサフルオロホスフェートイオン等が挙げられる。
【００３９】
但し、分子中の置換基として対陰イオンを有する場合（例えば、Ｒ５がスルホ基またはカルボキシル基の場合等）にはＸｎは不要であるものとする。
【００４０】
対陰イオンは分子内の置換基として存在する場合（すなわちＸｎが不要である場合）がより好ましい。
【００４１】
本発明において、耐光性の観点から上記一般式（２），（３），（４）の色素を含有するインクジェット記録液を特に好ましく挙げることができる。
【００４２】
一般式（２）において、Ｒ６、Ｒ７、ｐおよびｑは、一般式（１）におけるＲ６、Ｒ７、ｐおよびｑと各々同義の基または同義の整数を表わす。
【００４３】
Ｒ８およびＲ９は、各々水素原子またはアルキル基（例えば、Ｒ１およびＲ２のアルキル基の具体例として上記した基等）を表わし、Ｒ１０およびＲ１１は、各々アルキル基（例えば、Ｒ４のアルキル基の具体例として上記した基等）を表わし、Ｒ１２はスルホ基またはカルボキシル基を表わす。Ｒ１３はハロゲン原子、アルキル基、アルコキシ基、アルケニルオキシ基、アルキニルオキシ基、アラルキルオキシ基、芳香族オキシ基、複素環オキシ基、アシルアミノ基、スルホニルアミノ基、ウレイド基、ウレタン基、アルコキシカルボニル基、カルバモイル基、スルファモイル基、スルホニル基、アシル基、アミノ基、シアノ基、ヒドロキシ基、スルホ基またはカルボキシル基を表わし、これらの基の好ましい例としてはＲ６およびＲ７の同様の基について具体例として上記した基等が挙げられ、ｍは０〜４の整数を表わす。
【００４４】
一般式（３）においてＲ６、Ｒ７、ｐおよびｑは、一般式（１）におけるＲ６、Ｒ７、ｐおよびｑと各々同義の基または同義の整数を表わす。Ｒ１４およびＲ１５は、各々アルキル基（例えば、Ｒ１およびＲ２のアルキル基の具体例として上記した基等）を表わし、Ｒ１４とＲ１５は窒素原子とともに環（例えば、モルホリン環、ピペラジン環、ピペリジン環、ピロリジン環等）を形成してもよい。Ｒ１６は水素原子またはアルキル基（例えば、Ｒ１およびＲ２のアルキル基の具体例として上記した基等）を表わし、Ｒ１７はアルキル基（例えば、Ｒ４のアルキル基の具体例として上記した基等）を表わし、Ｒ１８はスルホ基またはカルボキシル基を表わす。
【００４５】
一般式（４）においてＲ６、Ｒ７、ｐおよびｑは、一般式（１）におけるＲ６、Ｒ７、ｐおよびｑと各々同義の基または同義の整数を表わす。Ｒ１９およびＲ２０は、各々水素原子またはアルキル基（例えば、Ｒ１およびＲ２のアルキル基の具体例として上記した基等）を表わし、Ｒ２１およびＲ２２は、各々アルキル基（例えば、Ｒ４のアルキル基の具体例として上記した基等）を表わし、Ｒ２３はスルホ基またはカルボキシル基を表わす。Ｒ２４はハロゲン原子、アルキル基、アルコキシ基、アルケニルオキシ基、アルキニルオキシ基、アラルキルオキシ基、芳香族オキシ基、複素環オキシ基、アシルアミノ基、スルホニルアミノ基、ウレイド基、ウレタン基、アルコキシカルボニル基、カルバモイル基、スルファモイル基、スルホニル基、アシル基、アミノ基、シアノ基、ヒドロキシ基、スルホ基またはカルボキシル基を表わし、これらの基の好ましい例としてはＲ６およびＲ７の同様の基について具体例として上記した基等が挙げられ、ｎは０〜４の整数を表わし、ｎは０、１、２のものが好ましい。
【００４６】
以下に一般式（１）〜（４）で示される色素の具体的化合物例を示すが、本発明はこれらに限定されない。
【００４７】
具体的化合物例
【００４８】
【化９】
0003557759.tif 000006
【００４９】
【化１０】
0003557759.tif 000007
【００５０】
【化１１】
0003557759.tif 000008
【００５１】
【化１２】
0003557759.tif 000009
【００５２】
【化１３】
0003557759.tif 000010
【００５３】
一般式（１）〜（４）で示される色素は、化合物Ｄ−１，２，３の場合に下記の合成スキームに従って容易に合成することができ、他の本発明の色素もこれに準じて合成することが可能である。
【００５４】
【化１４】
0003557759.tif 000011
【００５５】
一般式（１），（２），（３）又は（４）で示される色素を含有するインクジェット記録液は水系ジェット記録液、油系インクジェット記録液、固体（相変化）インクジェット記録液等を用いることができるが、水系インクジェット記録液（例えばインクジェット記録液総重量あたり１０重量％以上の水を含有する水性インクジェット記録液等）を溶媒系として特に好ましく用いることができる。
【００５６】
水系インクジェット記録液は、一般式（１），（２），（３）又は（４）で示される色素の他に溶剤として水と水溶性有機溶媒を併用することが好ましい。
【００５７】
水溶性有機溶媒の例としては、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）、スルホン類（例えば、スルホラン等）、尿素、アセトニトリル、アセトン等が挙げられる。
【００５８】
上記のような水系インクジェット記録液において、色素はその溶媒系に可溶であればそのまま溶解して用いることができる。一方、そのままでは不溶の固体である場合、色素を種々の分散機（例えば、ボールミル、サンドミル、アトライター、ロールミル、アジテーターミル、ヘンシェルミキサー、コロイドミル、超音波ホモジナイザー、パールミル、ジェットミル、オングミル等）を用いて微粒子化するか、あるいは可溶である有機溶媒に色素を溶解した後に、高分子分散剤や界面活性剤とともにその溶媒系に分散させることができる。さらに、そのままでは不溶の液体または半溶融状物である場合、そのままかあるいは可溶である有機溶媒に溶解して、高分子分散剤や界面活性剤とともにその溶媒系に分散させることができる。
【００５９】
このような水系インクジェット記録液の具体的調製法については、例えば特開平５−１４８４３６号、同５−２９５３１２号、同７−９７５４１号、同７−８２５１５号、同７−１１８５８４号等に記載の方法を参照することができる。
【００６０】
油系インクジェット記録液は、本発明の色素の他に溶媒として有機溶媒を使用する。
【００６１】
油系インクジェット記録液の溶媒の例としては、上記水系インクジェット記録液において水溶性有機溶媒として例示したものに加えて、アルコール類（例えば、ペンタノール、ヘプタノール、オクタノール、フェニルエチルアルコール、フェニルプロピルアルコール、フルフリルアルコール、アニルアルコール等）、エステル類（エチレングリコールジアセテート、エチレングリコールモノメチルエーテルアセテート、ジエチレングリコールモノメチルエーテルアセテート、プロピレングリコールジアセテート、酢酸エチル、酢酸アミル、酢酸ベンジル、酢酸フェニルエチル、酢酸フェノキシエチル、フェニル酢酸エチル、プロピオン酸ベンジル、安息香酸エチル、安息香酸ブチル、ラウリン酸ブチル、ミリスチン酸イソプロピル、リン酸トリエチル、リン酸トリブチル、フタル酸ジエチル、フタル酸ジブチル、マロン酸ジエチル、マロン酸ジプロピル、ジエチルマロン酸ジエチル、コハク酸ジエチル、コハク酸ジブチル、グルタル酸ジエチル、アジピン酸ジエチル、アジピン酸ジプロピル、アジピン酸ジブチル、アジピン酸ジ（２−メトキシエチル）、セバシン酸ジエチル、マレイン酸ジエチル、マレイン酸ジブチル、マレイン酸ジオクチル、フマル酸ジエチル、フマル酸ジオクチル、ケイ皮酸−３−ヘキセニル等）、エーテル類（例えば、ブチルフェニルエーテル、ベンジルエチルエーテル、ヘキシルエーテル等）、ケトン類（例えば、ベンジルメチルケトン、ベンジルアセトン、ジアセトンアルコール、シクロヘキサノン等）、炭化水素類（例えば、石油エーテル、石油ベンジル、テトラリン、デカリン、ターシャリーアミルベンゼン、ジメチルナフタリン等）、アミド類（例えば、Ｎ，Ｎ−ジエチルドデカンアミド等）が挙げられる。
【００６２】
上記のような油系インクジェット記録液において、色素はそのまま溶解させて用いることができ、また樹脂状分散剤や結合剤を併用して分散または溶解させて用いることもできる。
【００６３】
このような油系インクジェット記録液の具体的調製法については、特開平３−２３１９７５号、特表平５−５０８８８３号等に記載の方法を参照することができる。
【００６４】
固体（相変化）インクジェット記録液は、室温で固体であり、かつインクジェット記録液の加熱噴射時には溶融した液体状である相変化溶媒を使用する。
【００６５】
このような相変化溶媒としては、天然ワックス（例えば、密ロウ、カルナウバワックス、ライスワックス、木ロウ、ホホバ油、鯨ロウ、カンデリラワックス、ラノリン、モンタンワックス、オゾケライト、セレシン、パラフィンワックス、マイクロクリスタリンワックス、ペトロラクタム等）、ポリエチレンワックス誘導体、塩素化炭化水素、有機酸（例えば、パルミチン酸、ステアリン酸、ベヘン酸、チグリン酸、２−アセトナフトンベヘン酸、１２−ヒドロキシステアリン酸、ジヒドロキシステアリン酸等）、有機酸エステル（例えば、上記した有機酸のグリセリン、ジエチレングリコール、エチレングリコール等のアルコールとのエステル等）、アルコール（例えば、ドデカノール、テトラデカノール、ヘキサデカノール、エイコサノール、ドコサノール、テトラコサノール、ヘキサコサノール、オクタコサノール、ドデセノール、ミリシルアルコール、テトラセノール、ヘキサデセノール、エイコセノール、ドコセノール、ピネングリコール、ヒノキオール、ブチンジオール、ノナンジオール、イソフタリルアルコール、メシセリン、テレアフタリルアルコール、ヘキサンジオール、デカンジオール、ドデカンジオール、テトラデカンジオール、ヘキサデカンジオール、ドコサンジオール、テトラコサンジオール、テレビネオール、フェニルグリセリン、エイコサンジオール、オクタンジオール、フェニルプロピレングリコール、ビスフェノールＡ、パラアルファクミルフェノール等）、ケトン（例えば、ベンゾイルアセトン、ジアセトベンゼン、ベンゾフェノン、トリコサノン、ヘプタコサノン、ヘプタトリアコンタノン、ヘントリアコンタノン、ヘプタトリアコンタノン、ステアロン、ラウロン、ジアニソール等）、アミド（例えば、オレイン酸アミド、ラウリル酸アミド、ステアリン酸アミド、リシノール酸アミド、パルミチン酸アミド、テトラヒドロフラン酸アミド、エルカ酸アミド、ミリスチン酸アミド、１２−ヒドロキシステアリン酸アミド、Ｎ−ステアリルエルカ酸アミド、Ｎ−オレイルステアリン酸アミド、Ｎ，Ｎ′−エチレンビスラウリン酸アミド、Ｎ，Ｎ′−エチレンビスステアリン酸アミド、Ｎ，Ｎ′−エチレンビスオレイン酸アミド、Ｎ，Ｎ′−メチレンビスステアリン酸アミド、Ｎ，Ｎ′−エチレンビスベヘン酸アミド、Ｎ，Ｎ′−キシリレンビスステアリン酸アミド、Ｎ，Ｎ′−ブチレンビスステアリン酸アミド、Ｎ，Ｎ′−ジオレイルアジピン酸アミド、Ｎ，Ｎ′−ジステアリルアジピン酸アミド、Ｎ，Ｎ′−ジオレイルセバシン酸アミド、Ｎ，Ｎ′−システアリルセバシン酸アミド、Ｎ，Ｎ′−ジステアリルテレフタル酸アミド、Ｎ，Ｎ′−ジステアリルイソフタル酸アミド、フェナセチン、トルアミド、アセトアミド、オレイン酸２量体／エチレンジアミン／ステアリン酸（１：２：２のモル比）のような２量体酸とジアミンと脂肪酸の反応生成物テトラアミド等）、スルホンアミド（例えば、パラトルエンスルホンアミド、エチルベンゼンスルホンアミド、ブチルベンゼンスルホンアミド等）、シリコーン類（例えば、シリコーンＳＨ６０１８（東レシリコーン）、シリコーンＫＲ２１５，２１６，２２０（信越シリコーン）等）、クマロン類（例えば、エスクロンＧ−９０（新日鐵化学）等）、コレステロール脂肪酸エステル（例えば、ステアリン酸コレステロール、パルミチン酸コレステロール、ミリスチン酸コレステロール、ベヘン酸コレステロール、ラウリン酸コレステロール、メリシン酸コレステロール等）、糖類脂肪酸エステル（ステアリン酸サッカロース、パルミチン酸サッカロース、ベヘン酸サッカロース、ラウリン酸サッカロース、メリシン酸サッカロース、ステアリン酸ラクトース、パルミチン酸ラクトース、ミリスチン酸ラクトース、ベヘン酸ラクトース、ラウリン酸ラクトース、メリシン酸ラクトース等）が挙げられる。
【００６６】
固体インクジェット記録液の固体−液体相変化における相変化温度は、６０℃以上であることが好ましく、８０〜１５０℃であることがより好ましい。
【００６７】
上記のような固体インクジェット記録液において、加熱した溶融状態の溶媒に本発明の色素をそのまま溶解させて用いることができ、また樹脂状分散剤や結合剤を併用して分散または溶解させて用いることもできる。
【００６８】
このような固体インクジェット記録液の具体的調製法については、特開平５−１８６７２３号、同７−７０４９０号等に記載の方法を参照することができる。
【００６９】
上記したような水系、油系、固体の各インクジェット記録液は、その飛翔時の粘度として４０ｃｐｓ以下が好ましく、３０ｃｐｓ以下であることがより好ましい。
【００７０】
本発明のインクジェット記録液は、その飛翔時の表面張力として２０ｄｙｎ／ｃｍ以上が好ましく、２５〜８０ｄｙｎ／ｃｍであることが、より好ましい。
【００７１】
本発明のインクジェット記録液において、一般式（１）〜（４）で示される色素は、全インクジェット液量の０．１〜２５重量％の範囲で使用されることが好ましく、０．５〜１０重量％の範囲であることがより好ましい。
【００７２】
本発明のインクジェット記録液においては、吐出安定性、プリントヘッドやインクカートリッジ適合性、保存安定性、画像保存性、その他の諸性能向上の目的に応じて、粘度調整剤、表面張力調整剤、比抵抗調整剤、皮膜形成剤、分散剤、界面活性剤、紫外線吸収剤、酸化防止剤、退色防止剤、防ばい剤、防錆剤等を添加することもできる。
【００７３】
本発明のインクジェット記録液は、その使用する記録方式に関して特に制約はなく、コンティニュアス方式及びオンデマンド方式のインクジェットプリンタ用のインクジェット記録液として好ましく使用することができる。オンデマンド型方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット型等）、静電吸引方式（例えば、電界制御型、スリットジェット型等）、放電方式（例えば、スパークジェット型等）などを具体的な例として挙げることができる。
【００７４】
【実施例】
実施例により本発明を更に具体的に説明するが、本発明はこの実施例における形態に限定されるものではない。
【００７５】
実施例１
表１に記載の組成を有する各インク組成物を用いて、インクジェットプリンタＭＪ−５０００Ｃ（セイコーエプソン株式会社製、電気−機械変換方式）によって、インクジェット用専用コート紙上に記録したマゼンタ画像サンプルを得た。
【００７６】
このサンプルを用いて、下記のように定義した耐光性、色調、の評価を行った結果を表１に示す。
【００７７】
耐光性：ＰＤＡ−６５（コニカ（株）製）の緑色光による反射濃度の測定から算出したキセノンフェードメーターにて２４時間爆射した後のサンプルの未爆射サンプルに対する画像の残存率。
【００７８】
耐光性（％）＝（爆射試料の緑色光反射濃度／未爆射試料の緑色光反射濃度）×１００
色調：ＰＤＡ−６５（コニカ（株）製）を用いて青色、緑色、赤色光における反射濃度を測定し、緑色光における反射濃度を１に規格化した場合の相対青色光反射濃度および相対赤色光反射濃度を算出して下記基準にて評価。
【００７９】
すなわち○は青色光および赤色光の波長領域に不正吸収が少ない良好な色調のマゼンタ画像を表す。
【００８０】
○  ：相対青色光反射濃度０．２５未満かつ相対赤色光反射濃度０．１０未満の場合
△ｂ：相対青色光反射濃度０．２５以上で相対赤色光反射濃度０．１０未満の場合
△ｒ：相対青色光反射濃度０．２５未満で相対赤色光反射濃度０．１０以上の場合
×  ：相対青色光反射濃度０．２５以上かつ相対赤色光反射濃度０．１０以上の場合
尚、表１の各化合物量の単位はインクジェット記録液における重量％である。
表中に記載の比較−１、比較−２および界面活性剤−１の構造を下記に示す。
【００８１】
【化１５】
0003557759.tif 000012
【００８２】
【表１】
0003557759.tif 000013
【００８３】
表１の結果から明らかなように、本発明のインクジェット記録液は比較のインクジェット記録液を使用した場合に比較して耐光性に優れ、かつ緑色光領域の反射濃度に対する青色光および赤色光領域の不正吸収が少ない色調が良好のものであることがわかる。
【００８４】
さらに、本プリンタにおける連続吐出試験においても問題なく使用でき、本発明のインクジェット記録液の電気−機械変換方式に対する高い信頼性を確認した。
【００８５】
実施例２
表２に記載の組成を有する各インク組成物を用いて、インクジェットプリンタＢＪＣ−６００Ｊ（キヤノン社製、電気−熱変換方式）によって、インクジェット用専用光沢紙上に記録したサンプルを得た。このサンプルを用いて、実施例１と同様に耐光と色調の評価を行った結果を表２に示す。
【００８６】
尚、表２の各化合物量の単位はインクジェット記録液における重量％であり、比較−１、比較−２の化合物および評価項目の定義は各々実施例１と同様である。
【００８７】
【表２】
0003557759.tif 000014
【００８８】
表２の結果から明らかなように、本発明のインクジェット記録液は比較のインクジェット記録液を使用した場合に比較して耐光性に優れ、かつ緑色光領域の反射濃度に対する青色光および赤色光領域の不正吸収が少ない色調が良好のものであることがわかる。
【００８９】
また、本プリンタの系においてインクジェット記録液の熱時変質によるヘッドの異常等は確認されず、電気−熱変換方式に対する適合性を持ち合わせていることを確認した。
【００９０】
【発明の効果】
本発明によるインクジェット記録液は色画像の耐光性に優れ、良好な色再現性のための色調に優れた効果を有し、特にマゼンタ色に優れた効果を有する。